(57)【要約】【課題】使用者の乳頭部の不快感を軽減することができる母乳パッドを提供する。【解決手段】本発明の母乳パッドは、トップシートと、バックシートと、トップシートとバックシートにより形成された袋体に収容されたシート状または板状の吸収体とを備え、バックシートとトップシートと吸収体は、トップシートが内側になるように所定の折り線に沿って折り曲げられ、吸収体の外周部には、折り線の両端位置に、内側端部に折り線に対して略直角な立ち上がり部を有する二つの切欠が設けられ、立ち上がり部の寸法は切欠の開口寸法以上であり、トップシートの切欠に対応する部分の一部又は全部が接合されて前記折り線と上端との距離が所定の値以上である接合部が形成されていることを特徴とする。【選択図】図４
2018127728.tif 000002
【特許請求の範囲】
【請求項１】
トップシートと、
バックシートと、
前記トップシートと前記バックシートにより形成された袋体に収容されたシート状または板状の吸収体とを備え、
前記バックシートと前記トップシートと前記吸収体は、前記トップシートが内側になるように所定の折り線に沿って折り曲げられ、
前記吸収体の外周部には、前記折り線の両端位置に、内側端部に前記折り線に対して略直角な立ち上がり部を有する二つの切欠が設けられ、
前記立ち上がり部の寸法は前記切欠の開口寸法以上であり、
前記トップシートの前記切欠に対応する部分の一部又は全部が接合されて前記折り線と上端との距離が所定の値以上である接合部が形成されていることを特徴とする母乳パッド。
【請求項２】
前記吸収体の形状は円形であり、前記折り線は前記吸収体の中心を通ることを特徴とする請求項１に記載の母乳パッド。
【請求項３】
前記切欠の形状は長方形であり、
折り曲げられた状態での前記切欠の幅は前記吸収体の直径の１／４程度であり、前記切欠の高さは平均的な乳頭の高さ以上であることを特徴とする請求項２に記載の母乳パッド。
【請求項４】
前記吸収体には、前記折り線の両端以外の位置にさらなる切欠が形成されていることを特徴とする請求項１ないし請求項３のいずれか１項に記載の母乳パッド。
【請求項５】
前記折り線が略水平となるように装着され、
前記母乳パッドを使用者の下着に固定するための固定部が前記バックシートの上端と下端の一方または両方に設けられていることを特徴とする請求項１ないし請求項４のいずれか１項に記載の母乳パッド。
【発明の詳細な説明】
【技術分野】
【０００１】
本発明は、産婦等により用いられ乳房から滲み出る母乳を吸収して保水する母乳パッドに関する。
【背景技術】
【０００２】
母乳パッドは、一般に不織布等を素材とした透水性のトップシートと、合成樹脂フィルムや撥水処理を施した不織布等を素材とし不透水性のバックシートと、高吸水性のポリマー等を素材とする吸収体を積層した積層体を素材に形成される。
【０００３】
特許文献１には、内面シート体（トップシート）、第１ティッシュ紙、介挿シート体、吸水コア体（吸収体）、第２ティッシュ紙、外面シート体（バックシート）の順に重ね合わせた積層素材を素材として形成された母乳パッドが記載されている（特許文献１の段落００１７、図２）。この母乳パッドは、乳房にフィットするように椀状の立体的な形状に成形されている。
【０００４】
特許文献２には、トップシート、バックシート、吸収体を備えた母乳パッドが記載されている。この母乳パッドでは、吸収体に切欠を設けると共に、バックシートとトップシートの一部を重ね、対向するトップシート同士を接合して形成された接合部を設け、（特許文献２の段落００３２、００３３、図１、２）使用者の皮膚面に対する不快な刺激の低減と保形性の向上を図っている。
【先行技術文献】
【特許文献】
【０００５】
【特許文献１】特開２００８−２９７６４４号公報
【特許文献２】特許５０２４９３３号公報
【発明の概要】
【発明が解決しようとする課題】
【０００６】
特許文献１、２に記載の椀状の形状の母乳パッドを装着した状態を図１３に示す。母乳パッド１００は、椀状に形成されているので、乳房１０１に概ねフィットする状態で、乳房１０１とブラジャー等の下着１０３の間に装着される。しかし、乳房１０１の中央付近には乳頭１０２が突出しているため、母乳パッド１００は乳頭１０２に強く押しつけられ使用者に不快感を与えるという問題があった。
【０００７】
そこで、本発明は、使用者の乳頭部の不快感を軽減することができる母乳パッドを提供することを目的とする。
【課題を解決するための手段】
【０００８】
前述した課題を解決するために、本発明の母乳パッドは、トップシートと、バックシートと、トップシートとバックシートにより形成された袋体に収容されたシート状または板状の吸収体とを備え、バックシートとトップシートと吸収体は、トップシートが内側になるように所定の折り線に沿って折り曲げられ、吸収体の外周部には、折り線の両端位置に、内側端部に折り線に対して略直角な立ち上がり部を有する二つの切欠が設けられ、立ち上がり部の寸法は切欠の開口寸法以上であり、トップシートの切欠に対応する部分の一部又は全部が接合されて折り線と上端との距離が所定の値以上である接合部が形成されていることを特徴とする。
【発明の効果】
【０００９】
本発明の母乳パッドによれば、使用者の乳頭部の不快感を軽減することができる。
【図面の簡単な説明】
【００１０】
【図１】図１は、本発明の一実施形態である母乳パッドの展開図である。
【図２】図２は、図１のＡ−Ａ線の断面図である。
【図３】図３は、吸収体の形状を示す図である。
【図４】図４は、折りたたんだ状態の母乳パッドの形状を示す図である。
【図５】図５は、図４のＢ−Ｂ線の断面図である。
【図６】図６は、折り目を開いた状態の母乳パッドの正面図である。
【図７】図７は、折り目を開いた状態の母乳パッドの平面図である。
【図８】図８は、乳房と下着の間に装着した状態の母乳パッドの断面図である。
【図９】図９は、吸収体の変形例を説明する図である。
【図１０】図１０（Ａ）〜（Ｃ）は、吸収体の切欠の形状例を示す図である。
【図１１】図１１（Ａ）〜（Ｄ）は、接合部の形状例を示す図である。
【図１２】図１２は、比較例の寸法を説明する図である。
【図１３】図１３は、乳房と下着の間に装着した状態の従来の母乳パッドの断面図である。
【発明を実施するための形態】
【００１１】
以下、本発明の実施の形態について、図面を参照しながら詳細に説明する。
図１は、本発明の第１の実施形態である母乳パッド１の展開図、図２は図１のＡ−Ａ線での断面図である。図１、２では、母乳パッド１の製造時の折りたたまれる前の状態を示している。また、図２は各部材の厚さを誇張して模式的に描いている。
【００１２】
母乳パッド１は、乳房と下着の間に挟み込んだ状態で使用され、下着に当接するバックシート１０、乳房に当接するトップシート２０、バックシート１０とトップシート２０の間に封入された吸収体３０を積層した構造となっている。
【００１３】
バックシート１０は、不透水性の材料からなる円形のシート状の部材である。バックシート１０の素材としては、たとえばポリエステル樹脂やポリアミド樹脂等の合成樹脂を用いることができる。また、たとえば不織布に上述した合成樹脂によりラミネートしたものや、樹脂コーティング等により撥水処理を施した不織布等を用いることもできる。
【００１４】
トップシート２０は、透水性の材料からなり、バックシート１０と同型状の円形のシート状の部材である。トップシート２０の素材としては、透水性を有することに加えて肌触りの良いものが好ましく、たとえば、ポリエステル繊維等の合成樹脂繊維、レーヨン等の半合成繊維、木綿等の天然繊維、あるいは、これらの混合繊維からなる不織布等を用いることができる。
【００１５】
バックシート１０とトップシート２０は重ね合わされて、外縁部１１、２１で接合されて一体とされ、吸収体３０を収容する袋体を構成している。バックシート１０とトップシート２０の接合は接着剤や熱圧着等により行い、外縁部１１、２１の全周にわたって接合してもよいし、一部を接合するようにしてもよい。バックシート１０とトップシート２０の間の空間には、吸収体３０が収容される。
【００１６】
バックシート１０の外縁部には、母乳パッド１を下着に固定するための固定部１５が２箇所に設けられている。固定部１５は、たとえば粘着剤の表面に剥離シートを被覆したもので構成することができる。固定部１５の位置、形状、個数は図１と異なっていても良いが、後述するように、母乳パッド１には使用時に乳頭を収容するポケットが形成されるため、母乳パッド１を折り線１２が水平になるように装着した場合に、バックシート１０の外周部の上端と下端の一方または両方に設けるのが好ましい。また、固定部１５は省略することもできる。
【００１７】
図３は、吸収体３０の形状を示す図である。吸収体３０は、折りたたむことが可能なシート状又は板状の部材である。この実施形態では、バックシート１０とトップシート２０よりもやや直径が小さい円盤状部材としている。吸収体３０の材料は母乳を吸収して保持することができるものとし、たとえば、高吸水性ポリマーと粉砕パルプの混合物を用いることができる。吸収体３０の外周部には、２個の略長方形の切欠３１が吸収体３０の中心を通る折り線１２の両端に設けられている。切欠３１の形状は折り線１２に関して上下対称となっており、その内側端部は、折り線１２に直角な立ち上がり部３２となっている。また、切欠３１の立ち上がり部の寸法Ｈ２は、開口寸法Ｈ１と同一となっている。
【００１８】
図４は折りたたんだ状態の母乳パッド１の形状を示す図、図５は図４のＢ−Ｂ線の断面図である。バックシート１０、トップシート２０、吸収体３０はバックシート１０が外側、トップシート２０が内側になるように図１の折り線１２の位置で二つに折りたたまれている。折り線１２は吸収体３０の中心を通る直線である。折り線１２の位置には折り目１３が形成されている。
【００１９】
折りたたまれた母乳パッド１は、バックシート１０、吸収体３０、トップシート２０が積層された略半円形の半片２、３が重ね合わせられた状態となっている。トップシート２０の切欠３１に対応する部分とその外周側の部分は内側で接合され、折り目１３の両端にはそれぞれ略長方形の接合部２２が形成されている。トップシート２０同士の接合は、たとえば、接着剤や熱圧着等により行うことができる。また、バックシート１０も熱圧着等で接合して２枚のバックシート１０と２枚のトップシート２０とを一体に接合して接合部２２を形成してもよい。
折りたたんだ状態での母乳パッド１全体の幅（トップシート１０及びバックシート２０の直径）はＸ１、吸収体３０の幅（吸収体３０の直径）はＸ２、母乳パッド１全体の高さはＹ１、吸収体の高さはＹ２である。また、折りたたんだ状態での切欠３１の幅はｂ、高さはｈである。
【００２０】
母乳パッド１は、図４のように折りたたまれた状態で流通し、使用時に開かれて椀状の形状とされ装着される。折りたたまれた母乳パッド１を使用者が開く際は、半片２を図４の紙面手前側に、半片３を図４の紙面奥側に、接合部２２の折り目１３と対向する端部２３に沿って、それぞれ折り曲げると共に、中央部をトップシート２０側からバックシート１０側に押し出すようにして椀状の形状とする。
【００２１】
図６は母乳パッド１の使用時の正面図、図７は母乳パッド１の使用時の平面図である。装着された状態の母乳パッド１を使用者の正面から見た形状は横長の略楕円形であり、乳房４１の中央部を覆うように装着される。椀状の形状とするため母乳パッド１の外縁が中心側に移動するから全体の横寸法Ｘ３は図４のＸ１よりもやや小さく、全体の縦寸法Ｙ３は図４のＹ１の２倍よりもやや小さくなっている。同様に、吸収体の横寸法Ｘ４は図４のＸ２よりもやや小さく、全体の縦寸法Ｙ４は図４のＹ２の２倍よりもやや小さくなっている。
【００２２】
接合部２２は、バックシート１０上に直立した状態となっている。二つの接合部２２の間の部分では、バックシート１０、トップシート２０、吸収体３０が外側に突出し、正面視で横長の略楕円形状のポケット１４が形成されている。折り目１３（図４参照）の二つの接合部２２の間の部分は開かれて明りょうな折り目は認められなくなっている。この実施形態のように、吸収体３０の形状を円形とすると最も良好にポケット１４を形成することができる。
【００２３】
使用者は、母乳パッド１を乳房４１とブラジャー等の下着４３の間に装着し、乳頭４２をポケット１４に収容する。乳頭４２の大きさ（正面視での直径）には個人差があり、平均は１０ｍｍ程度であるが、大きい人では３０ｍｍ程度となる場合もある。また、乳頭４２の高さの平均値は、約１０ｍｍである。また、母乳パッド１の構造上、ポケット１４の図７における突出高さｈ３は、図４の切欠３１の高さｈとほぼ等しくなっている。これらの点を考慮すると、ポケット１４の形状を良好にするためには、図６のポケット高さｈ２を乳頭の平均的な直径である１０ｍｍ以上確保できるように、切欠の幅ｂ（図４参照）は吸収体３０の横寸法Ｘ２（図４参照）の１／４程度、切欠３１の高さｈ（図４参照）は平均的な乳頭の高さ以上とするのが好ましい。たとえば、図４のＸ１が１２０ｍｍ、Ｘ２が８５ｍｍである場合、ｂは２０ｍｍ程度、ｈは１５ｍｍ程度とするのが好ましい。
【００２４】
また、ポケット１４の形状を保持しやくするためには立ち上がり部３２の高さＨ２（図３参照）を大きくし、切欠３１の高さｈを大きくすると良いが、大きくしすぎると折りたたまれた母乳パッド１を開く際に椀状に形成しにくくなってしまうという弊害がある。そのため、ｈはＸ２の１／４以下に抑えるのが好ましい。
【００２５】
母乳パッド１の装着方向は任意であるが、二つの接合部２２を結ぶ直線の方向が図６のように水平となるように装着するのが好ましい。
【００２６】
図８は、図６のＣ−Ｃ線の断面図である。母乳パッド１は、乳房４１と下着４３の間にバックシート１０が外側（下着側）、トップシート２０が内側（乳房側）となるように挟んで装着される。トップシート２０のポケット１４以外の部分は、乳房４１の肌に張り付くように当接している。トップシート２０のポケット１４の部分は、図８のように乳頭４３をやや間隔をあけて包み込むか、あるいは、緩く当接するように乳頭を包み込んでいる。
【００２７】
ポケット１４が外側に向かって突出しているため、バックシート１０のポケット１４の周囲の部分には、下着４３との間に隙間１６ができやすい（図８はバックシート１０と下着４３の離れを誇張して描いている）。そのため、母乳パッド１を下着４３にしっかりと固定するためには、図１、図８のように固定部１５をバックシート１０の上端部と下端部に設けるのが好ましい。
【００２８】
図９は、吸収体の変形例の形状を示す図である。吸収体３５は、基本的な形状が円形であり、折り線１２の両端に二つの切欠３１が設けられていることは図３の吸収体３０と同様であるが、さらに、折り線１２の両端以外の位置にも二つの切欠３３が設けられている。このように、折り線１２の両端以外の位置に追加の切欠を設けることにより、折りたたまれた母乳パッド１を開く際に、ドーム状の形状を形成しやすくなる。なお、追加の切欠３３の位置、個数、形状は図９と異なっていてもよい。
【００２９】
上記の説明で、バックシート１０、トップシート２０、吸収体３０はすべて円形形状としたが、楕円形、長方形等の他の形状とすることもできる。また、これらの部材が相似形である必要はなく、たとえばバックシート１０とトップシート２０は円形で吸収体３０は長方形とするなど、異なる形状を組み合わせてもよい。
【００３０】
また、バックシート１０と吸収体３０の間およびトップシート２０と吸収体３０の間の一方または両方にティッシュや不織布等のシート状部材を挟むようにしても良い。この場合には、シート状部材にも吸収体３０と同様の切欠を設けるのが好ましい。
【００３１】
また、切欠３１の形状は長方形としたが、立ち上がり部３２の寸法Ｈ２が開口寸法Ｈ１以上であれば、他の形状とすることができる。図１０（Ａ）〜（Ｃ）に長方形以外の切欠形状の例を示す。
【００３２】
図１０（Ａ）は、立ち上がり部３２の寸法Ｈ２が開口寸法Ｈ１よりも大きい略台形形状とした例である。二つの斜辺部３３は、折り線１２に関して対称となっている。
【００３３】
図１０（Ｂ）は、切欠３１の形状を図１０（Ａ）と同様の台形形状とした例であるが、立ち上がり部３２と斜辺部３３の間には、円弧部３４を設け、Ｈ１とＨ２を等しくしている。このように、切欠３１の形状は一部に曲線を含んでいてもよい。
【００３４】
図１０（Ｃ）は、折り線１２と平行な部分の外側３５と内側３６の間に段差部３７を設け、切欠３１の高さ（折り線１２に垂直な方向の寸法）を段階的に変化させている。この例でもＨ２がＨ１よりも大きくなっている。なお、この例では高さの変化を２段階としたがＨ２がＨ１以上であれば３段階以上としてもよい。
図３、図１０（Ａ）〜（Ｃ）に示した例では、切欠３０の形状は折り線１２に関して対称であるが、Ｈ２がＨ１以上であれば非対称な形状としてもよい。また、二つの切欠３１の形状は同一でなくてもよい。
【００３５】
また、トップシート２０の切欠３１に対応する部分の全体を接合して長方形の接合部２２を形成するとしたが、開いたときにポケット１４が形成されるようにするためには、その部分の全体を接合する必要はなく、接合部２２の縦方向寸法（折り目１３（折り線１２）と接合部２２の上端との距離）ｈ４をポケット１４の所望の高さに応じた所定の値（たとえば、平均的な乳頭の高さ）以上確保できれば、一部だけを接合してもよい。接合部２２の形状も長方形以外の形状とすることができる。図１１（Ａ）〜（Ｄ）に接合部２２の形状の例を示す。
【００３６】
図１１（Ａ）は、接合部２２の形状を三角形とした例である。トップシート２０の切欠３１に対応する部分には接合されない部分があるが、立ち上がり部３２の近傍は、高さのほぼ全体にわたって接合され、ｈ４は切欠３１の高さとほぼ同一となっている。
【００３７】
図１１（Ｂ）は、接合部２２の形状を四分円形とした例である。この例でも、トップシート２０の切欠３１に対応する部分には接合されない部分があるが、立ち上がり部３２の近傍は、高さのほぼ全体にわたって接合され、ｈ４は切欠３１の高さとほぼ同一となっている。
【００３８】
図１１（Ｃ）は、図４と同様に接合部２４の形状を略長方形としているが、吸収体３０の外縁部付近からトップシート１０およびバックシート２０の外縁に向かって伸びる張り出し部２４を設けている。張り出し部２４を設けることによって、二つ折りにされた母乳パッド１を開く際に、椀状の形状としやすくなる。接合部２２の形状が長方形以外の場合にも張り出し部２４を設けることができる。
【００３９】
図１１（Ｄ）は、接合部２２の面積が図１１（Ａ）〜（Ｃ）の例に比べて小さくなるようにした例である。トップシート２０の切欠３１に対応する部分のうち立ち上がり部３２寄りの部分だけが接合されて長方形の接合部２２が形成されている。
図１１（Ａ）から（Ｄ）に示したように接合部の縦寸法ｈ４を所定の値以上確保すれば、二つ折りにされた母乳パッド１を開く際に、折り目１３ではなく接合部２３の上端２２ｂで開かれるようになるため、所望の高さのポケット１４を形成することができる。
また、図１１（Ｄ）の例のように、所定の縦寸法ｈ４を確保すれば、接合部２３の右端２２ａと切欠３１の立ち上がり部３２との間、接合部２３の上端２２ｂと切欠３１の上端３３との間、接合部２３の下端２２ｃと折り線１３との間には、間隔があってもよい。
【００４０】
母乳パッド１は、トップシート１０とバックシート２０により形成された袋体に吸収体３０が収容されている。折り線１２に沿ってバックシート１０とトップシート２０と吸収体３０がトップシート２０が内側になるように折り曲げられている。吸収体３０の外周部には、折り線１２の両端位置に、内側端部に折り線１２に対して略直角な立ち上がり部３２を有する二つの切欠３１が外周部に設けられている。トップシート１０の切欠３１に対応する部分の一部又は全部が接合されて折り線１２と上端との距離が所定の値以上である接合部２２が形成されている。折りたたまれた母乳パッド１を開くと全体として椀状の形状となるとともに、中央部に突出するポケット１４が形成される。ポケット１４に乳頭を収容することにより、従来の母乳パッドのように乳頭が強く圧迫されることがなくなり、乳頭部の不快感を軽減することができる。
【００４１】
以下に本発明の実施例について説明する。図１〜８に示した形状の母乳パッドについて試作品を作成し、図４のような二つ折りの状態と図６、７のような使用時の状態について寸法を測定するとともに、ポケットの形状を観察した。
【実施例１】
【００４２】
切欠の縦寸法（図４のｈ）が１０ｍｍ、横寸法（図４のb）が２０ｍｍのものを３個作成し寸法を測定した。測定は、二つ折り状態の全体の縦寸法（図４のＹ１）、横寸法（図４のＸ１）、厚み（図５のｔ）、吸収体の縦寸法（図４のＹ２）、横寸法（図４のＸ２）、使用状態の全体の縦寸法（図６のＹ３）、横寸法（図６のＸ３）、高さ（図７のＺ３）、吸収体の縦寸法（図６のＹ４）、横寸法（図６のＸ４）、ポケットの深さ（図７のｈ３）について行った。測定結果を表１に示す。「平均」の欄は３個の測定値の算術平均、「Ｒ」の欄は３個の測定値の最大値と最小値の差であり、寸法の単位はすべてｍｍである。使用状態においては、３個の試作品すべてで、全体を椀状に形成しやすく、ポケットも良好に形成された。椀状に開きやすいが、ポケットの深さは１０ｍｍであるため、乳頭に対する遊びがない。また、広げる際に力を入れすぎるとポケットが消えてしまい易く、ポケットの保持力があまり良くない。
【００４３】
【表１】
2018127728.tif 000003
【実施例２】
【００４４】
切欠の縦寸法（図４のｈ）が２０ｍｍ、横寸法（図４のb）が２０ｍｍのものを３個作成し実施例１と同様に寸法を測定した。測定結果を表２に示す。「平均」の欄は３個の測定値の算術平均、「Ｒ」の欄は３個の測定値の最大値と最小値の差であり、寸法の単位はすべてｍｍである。使用状態においては、３個の試作品すべてで、ポケットが形成された。ポケットを深く形成することができるが、曲げにくく椀状に形成することが難しく乳房へのフィット性が悪くなってしまった。ポケット深さの測定値にばらつきがあるのは、広げて椀状に形成する際に力が入り、切欠部の接合が緩んだためと考えられる。
【００４５】
【表２】
2018127728.tif 000004
【実施例３】
【００４６】
切欠の縦寸法（図４のｈ）が１５ｍｍ、横寸法（図４のb）が２０ｍｍのものを３個作成し実施例１と同様に寸法を測定した。測定結果を表３に示す。「平均」の欄は３個の測定値の算術平均、「Ｒ」の欄は３個の測定値の最大値と最小値の差であり、寸法の単位はすべてｍｍである。使用状態においては、３個の試作品すべてで、ポケットが形成された。ポケットの深さは１５ｍｍと、平均的な乳頭の高さに対して十分である。また、実施例２に比べて椀状に形成しやすく、実施例１に比べてポケットの保持力が良好であった。
【００４７】
以上から、実施例１〜３の中では、実施例３が母乳パットの椀状の形状への形成しやすさ、ポケットの深さ、ポケットの保持力のバランスが取れ最も好適な寸法であると考えられる。
【００４８】
【表３】
2018127728.tif 000005
【実施例４】
【００４９】
比較例として図１２に示すように吸収体の切欠の形状を三角形として測定を行った。切欠以外の形状は図１〜８に示したものと同一である。切欠の縦寸法（図１２のｈ）が１５ｍｍ、横寸法（図１２のb）が２０ｍｍのものを３個作成し実施例１と同様に寸法を測定した。測定結果を表４に示す。「平均」の欄は３個の測定値の算術平均、「Ｒ」の欄は３個の測定値の最大値と最小値の差であり、寸法の単位はすべてｍｍである。使用状態においては、３個の試作品すべてで、全体を椀状に形成することはできたが、ポケットは形成されなかった。
【００５０】
【表４】
2018127728.tif 000006
【符号の説明】
【００５１】
１  母乳パッド
１０  トップシート
１２  折り線
１４  ポケット
２０  バックシート
２２  接合部
３０、３５  吸収体
３１、３３  切欠
【図１】
2018127728.tif 000007
【図２】
2018127728.tif 000008
【図３】
2018127728.tif 000009
【図４】
2018127728.tif 000010
【図５】
2018127728.tif 000011
【図６】
2018127728.tif 000012
【図７】
2018127728.tif 000013
【図８】
2018127728.tif 000014
【図９】
2018127728.tif 000015
【図１０】
2018127728.tif 000016
【図１１】
2018127728.tif 000017
【図１２】
2018127728.tif 000018
【図１３】
2018127728.tif 000019